(57)【要約】【課題】短時間で安価に大量に製造できるとともに、表面からの物質の離脱がなく、多様な効能を有する粉茶竹炭シートを提供する。【解決手段】紙製のシート１と、シート１の一方の面に、粉茶と澱粉を混合したものをインクのように用いて、スクリーン印刷により付着させた粉茶印刷面２と、シート１の他方の面に、粉末の竹炭と澱粉を混合したものを、インクのように用いて、スクリーン印刷により付着させた竹炭印刷面３と、を有する。【選択図】図１
2008087460.tif 000002
【特許請求の範囲】
【請求項１】
紙製のシートと、
前記シートの一方の面に、印刷により付着された粉茶と、
前記シートの他方の面に、印刷により付着された粉末の竹炭と、
を有することを特徴とする粉茶竹炭シート。
【請求項２】
前記粉茶は、澱粉に混合したものが印刷されていることを特徴とする請求項１記載の粉茶竹炭シート。
【請求項３】
前記竹炭は、粉末にして澱粉に混合したものが印刷されていることを特徴とする請求項１又は請求項２記載の粉茶竹炭シート。
【請求項４】
前記竹炭及び前記粉茶は、前記シートにスクリーン印刷されていることを特徴とする請求項１〜３のいずれか１項に記載の粉茶竹炭シート。
【請求項５】
前記粉茶及び前記竹炭の少なくとも一方の印刷面は、文字を構成していることを特徴とする請求項１〜４のいずれか１項に記載の粉茶竹炭シート。
【請求項６】
前記粉茶及び前記竹炭の少なくとも一方の印刷面は、図を構成していることを特徴とする請求項１〜４のいずれか１項に記載の粉茶竹炭シート。
【発明の詳細な説明】
【技術分野】
【０００１】
本発明は、茶と竹炭の効能を利用した粉茶竹炭シートに関するものである。
【背景技術】
【０００２】
従来から、竹炭の効能として、脱臭、消臭、調湿等が知られているが、特に、木炭と比較しても優れた点として、珪酸やカリウムが多く含まれていることにより、土壌の改良に適していることが挙げられる。
【０００３】
このような竹炭の利用方法としては、箱や袋に入れて、室内、冷蔵庫内、下駄箱内、車内等に置いたり、そのまま若しくは破砕して土中に埋めたりすることが行われていた。
【０００４】
しかしながら、このような竹炭は、そのまま持って利用すると、手に黒い粉が付着して汚れることになる。箱に入れても、内部に落下する粉が蓄積され、処分する際などに飛散して周囲を汚すことになる。閉じた袋に詰めたとしても、効能を発揮させるためには、袋は目の粗い布製にする必要があり、粉の飛散は免れない。
【０００５】
これに対して、例えば、特許文献１には、竹炭をバインダー樹脂と混合した竹炭バインダー剤を、シート状の基材に塗布することが提案されている。
【特許文献１】特開２００４−３５１８１７号公報
【特許文献２】特開２００３−２６８２９０号公報
【特許文献３】特開２００３−１４７６９４号公報
【発明の開示】
【発明が解決しようとする課題】
【０００６】
しかしながら、特許文献１は、基材としてプラスチックフィルムや布地を用いることを前提としており、バインダー樹脂として、ポリエステル樹脂、アクリル樹脂等を用いるため、製造に手間と費用がかかり、製品が高価なものとなる。
【０００７】
これに対処するために、特許文献２には、炭粉末、ポリマーエマルジョン、セルロース系水溶性ポリマー、有機溶剤等を含む塗料を、紙に塗布することが提案されている。また、特許文献３には、炭を糊状にして紙に塗布することが提案されている。
【０００８】
ところが、これらの従来技術は、塗布という方法によっているため、仕上がり表面の均一性を維持しにくく、同一の品質の製品を短時間で大量に製造することは難しい。また、このような塗布による方法では、竹炭そのものを扱うよりも汚れ難いが、完成品の塗布面に触れた場合には、炭の離脱による付着は生じる。
【０００９】
また、単に紙に竹炭を塗布したものでは、竹炭の効果しか期待しえず、その利用範囲は限定されてしまう。特許文献３には、種々の物質を塗布することが記載されているが、塗布の態様については明確でなく、結局、製造の困難性、塗布物質の離脱による付着の問題は残る。
【００１０】
本発明は、上記のような従来技術の問題点を解決するために提案されたものであり、その目的は、短時間で安価に大量に製造できるとともに、表面からの物質の離脱がなく、多様な効能を有する粉茶竹炭シートを提供することにある。
【課題を解決するための手段】
【００１１】
上記の目的を達成するため、請求項１の発明である粉茶竹炭シートは、紙製のシートと、前記シートの一方の面に印刷により付着された粉茶と、前記シートの他方の面に印刷により付着された粉末の竹炭と、を有することを特徴とする。
【００１２】
以上のような請求項１の発明では、紙製のシートの片面に粉茶、反対の面に粉末の竹炭が、印刷により付着されているので、印刷機を用いるだけで、短時間で安価に大量に製造することができる。また、茶に含まれるカテキンによる抗菌、抗毒作用と、竹炭の脱臭作用等の効能があるため、幅広い用途に利用することができる。さらに、基材が紙であるため、所望の形状に簡単に切ることができるともに、土壌に埋めれば分解され、通常の可燃ごみとすることもできるので、処分にも困らない。
【００１３】
請求項２の発明は、請求項１記載の粉茶竹炭シートにおいて、前記粉茶は、澱粉に混合したものが印刷されていることを特徴とする。
請求項３の発明は、請求項１又は請求項２記載の粉茶竹炭シートにおいて、前記竹炭は、粉末にして澱粉に混合したものが印刷されていることを特徴とする。
【００１４】
以上のような請求項２及び請求項３の発明では、澱粉に混合した粉茶若しくは粉末の竹炭を用いるので、通常の印刷に用いるインクと同様の手法によってシートに粉茶及び竹炭を付着させることができ、乾燥すると離脱しないので、他所を汚すおそれがない。
【００１５】
請求項３の発明は、請求項１〜３のいずれか１項に記載の粉茶竹炭シートにおいて、前記竹炭及び前記粉茶は、前記シートにスクリーン印刷されていることを特徴とする。
【００１６】
以上のような請求項３の発明では、スクリーン印刷を用いるため、使用する紙を問わずに仕上面を均一にすることができる。したがって、印刷業界より排出される廃紙を利用してもきれいに仕上げることができ、安価に製造可能となる。
【００１７】
請求項５の発明は、請求項１〜４のいずれか１項の粉茶竹炭シートにおいて、前記粉茶及び前記竹炭の少なくとも一方の印刷面は、文字を構成していることを特徴とする。
請求項６の発明は、請求項１〜５のいずれか１項に記載の粉茶竹炭シートにおいて、前記粉茶及び前記竹炭の少なくとも一方の印刷面は、図を構成していることを特徴とする。
【００１８】
以上のような請求項５及び請求項６の発明では、印刷面が文字や図を構成しているため、広告媒体や装飾物としての利用価値が広がる。
【発明の効果】
【００１９】
以上説明したように、本発明によれば、短時間で安価に大量に製造できるとともに、表面からの物質の離脱がなく、多様な効能を有する粉茶竹炭シートを提供することができる。
【発明を実施するための最良の形態】
【００２０】
本発明の実施の形態（以下、実施形態とする）を、図面を参照して以下に説明する。
［実施形態の構成］
本実施形態の構成を、図１及び図２を参照して説明する。なお、図１は本実施形態の断面図であり、図２（ａ）は粉茶を印刷した粉茶印刷面、図２（ｂ）は竹炭を印刷した竹炭印刷面を示す。すなわち、本実施形態の粉茶竹炭シートＡは、紙製のシート１の一方の面に、粉茶を印刷した粉茶印刷面２と、他方の面に粉末の竹炭を印刷した竹炭印刷面３とを有している。なお、本実施形態は、単に粉茶及び竹炭を、樹脂や溶剤に混合して塗布したものではなく、以下のように製造されるものである。
【００２１】
まず、飲料業界より排出される「ごみ」となる緑茶のスラッジを、乾燥させて微粉末製造装置にかけて微粉末とする。なお、このお茶は無農薬栽培されたものが望ましい。また、竹炭の製造業者より排出される「ごみ」となる竹炭のスラッジを、微粉末製造装置にかけて微粉末とする。茶及び竹炭をどの程度の微粉末とするかは限定されないが、例えば、３０ミクロン以下とすることが望ましい。
【００２２】
次に、粉末とした茶及び竹炭を、澱粉と水分を含む接着剤に混合して、通常のスクリーン印刷機で使用できるインクと同様の流動体とする。この接着剤は、接着剤業界より排出される「ごみ」となる接着剤を活用することができる。
【００２３】
そして、スクリーン印刷機にシート１をセットして、粉末茶を含む流動体をインクとして用いて、シート１の一方の全面に印刷することにより、粉茶印刷面２を形成する。また、同様に、竹炭を含む流動体をインクとして、シート１の他方の全面に印刷することにより、竹炭印刷面３を形成する。
【００２４】
なお、シート１として用いる紙は、印刷業界より排出される「ごみ」となる紙を活用することができる。シート１の表面は、粉茶印刷面２、竹炭印刷面３で覆われてしまうので、印字等がなされていてもかまわない。以上のように印刷処理を行い、乾燥させることにより、粉茶竹炭シートＡが完成する。
【００２５】
［実施形態の作用］
以上のような構成を有する本実施形態は、基本的に、次のような茶と竹炭の両方の効用が得られる。
［茶の効用］
最近の研究では、緑茶に含まれる「カテキン」は強い抗菌、抗毒作用をもつことが判明している。また、「カテキン」は、強い抗酸化作用によって、活性酸素で傷ついた細胞を修復し、癌化を抑制するともいわれている。このため、対象物を粉茶竹炭シートＡにおける粉茶印刷面２に接触させた場合、菌の繁殖を抑える働きが得られる。
【００２６】
［竹炭の効用］
竹炭は多孔質で、微細なパイプを束ねたような構造になっている。このため、竹炭には、それらの孔による吸着効果を、竹炭が発するマイナスイオンの効果によって、エチレンガスを除去し、生物の鮮度を保つ能力がある。例えば、１ｇあたり、約５０ｍｌのエチレンガスを吸着し、除去する効果がある。
【００２７】
［使用法］
本実施形態は、次に例示するように、様々な態様で使用することができる。
［消臭剤］
例えば、図３に示すように、粉茶竹炭シートＡを短冊状に切断したものを、図４に示すように、容器１０に入れて下駄箱Ｂの中に置いたり、靴１１の中に直接入れておくことにより、消臭剤としての効果が得られる。同様に、図５に示すように、粉茶竹炭シートＡを冷蔵庫Ｃ内に入れておいても、消臭効果があり、食品１２に匂いが移らない。さらに、図６に示すように、粉茶竹炭シートＡを車Ｄの内部に置いておけば、新車出荷時の匂いや喫煙時の匂い等、車内の様々な匂いが除去される。
【００２８】
［栽培促進］
また、図７〜９に示すように、粉茶竹炭シートＡを適当な形状に切り取って、植木鉢１３の中に敷き、土１４を入れて植物１５を栽培すれば、植物１５の成長が促進される。また、図１０に示すように、粉茶竹炭シートＡを地面１６に直接埋めれば、土壌が改良される。このように、地面１６に放置しても、粉茶竹炭シートＡは自然に分解されるため、処分に困らない。
【００２９】
［食品の保存］
上記の冷蔵庫Ｃにおいても同様であるが、例えば、図１１に示すように、食品１２を箱１７に詰めて運搬する場合に、粉茶竹炭シートＡを同梱すれば（梱包材としてもよい）、上記のエチレンガスの吸着効果によって、食品１２の鮮度が長期間保持される。なお、粉茶の殺菌効果は、対象と接触していることにより得られるため、粉茶印刷面２側が食品に直接接するようにして同梱することが望ましい。
【００３０】
［広告・装飾］
さらに、図１２〜１４に示すように、自社の製品に粉茶竹炭シートＡを、同封、同梱、収容等する場合に、これに文字や図形が印刷されていれば、自社や他社の広告や、製品の装飾の一種として利用することができる。
【００３１】
［実施形態の効果］
以上のような本実施形態では、印刷機を用いて印刷を行うだけで、粉茶竹炭シートＡを短時間で安価に大量に製造することができる。そして、各材料は、すべて「ごみ」として処分されるものを利用することができる。このため、粉茶竹炭シートＡの単価は非常に安くなり、様々な用途に気軽に使用することができ、普及が期待できる。特に、基材が紙であるため、ユーザはハサミ等で所望の形状に簡単に切ることができ、土壌に埋めれば分解され、通常の可燃ごみとすることもできるので、処分にも困らない。
【００３２】
また、澱粉に混合した粉茶若しくは粉末の竹炭を用いるので、通常の印刷に用いるインクと同様の手法によってシート１に粉茶及び竹炭を付着させることができ、乾燥すると離脱しないので、他所を汚すおそれがない。
【００３３】
また、スクリーン印刷を用いるため、使用する紙を問わずに仕上面を均一にすることができる。したがって、印刷業界より排出される廃紙を利用することができ、より一層安価に製造可能となる。
【００３４】
[他の実施形態]
本発明は、上記の実施形態に限定されるものではなく、使用する紙の大きさ、形状、材質、色等は自由である。使用する材料は、上記のように各種スラッジを利用できるが、必ずしもこれを利用する必要はない。澱粉以外の成分を混合してもよい。印刷する領域、形状、大きさ等も、特定のものには限定されない。文字や図を印刷する場合の態様も自由である。茶と竹炭のいずれか一方を文字や図としてもよいし、双方を文字や図としてもよい。
【図面の簡単な説明】
【００３５】
【図１】本発明の粉茶竹炭シートの一実施形態を示す断面図である。
【図２】図１の実施形態の粉茶を印刷した面（ａ）、竹炭を印刷した面（ｂ）を示す図である。
【図３】図１の実施形態を短冊状に切断した状態を示す図である。
【図４】図１の実施形態を下駄箱に使用した例を示す図である。
【図５】図１の実施形態を冷蔵庫に使用した例を示す図である。
【図６】図１の実施形態を車内に使用した例を示す図である。
【図７】図１の実施形態を植木鉢の形状に合せて切断した状態を示す図である。
【図８】図１の実施形態を植木鉢内に収容した例を示す図である。
【図９】図１の実施形態を植木鉢内に収容し、植物を植えた例を示す図である。
【図１０】図１の実施形態を地面に挿入した例を示す図である。
【図１１】図１の実施形態を食品を搬送する箱に入れた例を示す図である。
【図１２】図１の実施形態において、文字を印刷した例を示す図である。
【図１３】図１の実施形態において、図を印刷した例を示す図である。
【図１４】図１の実施形態において、図を印刷した例を示す図である。
【符号の説明】
【００３６】
１…シート
２…粉茶印刷面
３…竹炭印刷面
１０…容器
１１…靴
１２…食品
１３…植木鉢
１４…土
１５…植物
１６…地面
１７…箱
Ａ…粉茶竹炭シート
Ｂ…下駄箱
Ｃ…冷蔵庫
Ｄ…車
【図１】
2008087460.tif 000003
【図２】
2008087460.tif 000004
【図３】
2008087460.tif 000005
【図４】
2008087460.tif 000006
【図５】
2008087460.tif 000007
【図６】
2008087460.tif 000008
【図７】
2008087460.tif 000009
【図８】
2008087460.tif 000010
【図９】
2008087460.tif 000011
【図１０】
2008087460.tif 000012
【図１１】
2008087460.tif 000013
【図１２】
2008087460.tif 000014
【図１３】
2008087460.tif 000015
【図１４】
2008087460.tif 000016